(57)【要約】【課題】  煩雑な処理を要さずに活線表示機能を提供することの可能な表示装置を提供すること。【解決手段】  実施形態によれば、表示装置は、画面作成部と、記憶部と、表示制御部とを具備する。画面作成部は、複数のシンボルを表示してビル内の配電系統の状態を示す系統画面の設計を支援する。記憶部は、画面作成部において接続指定されたシンボル間の論理的な接続情報を記憶する。表示制御部は、接続情報に基づいて、給電中の電線と非給電の電線とを系統画面において互いに区別して表示する。【選択図】  図３
2018098972.tif 000002
【特許請求の範囲】
【請求項１】
複数のシンボルを表示してビル内の配電系統の状態を示す系統画面の設計を支援する画面作成部と、
前記画面作成部において接続指定されたシンボル間の論理的な接続情報を記憶する記憶部と、
前記接続情報に基づいて、給電中の電線と非給電の電線とを前記系統画面において互いに区別して表示する表示制御部とを具備する、表示装置。
【請求項２】
さらに、前記シンボルに対応する実体の状態を示す状態情報を取得する取得部を具備し、
前記表示制御部は、前記取得された状態情報と前記接続情報との論理的帰結に基づいて、前記給電中の電線と前記非給電の電線とを互いに区別して表示する、請求項１に記載の表示装置。
【請求項３】
前記表示制御部は、前記状態情報が不定の電線を他と区別して表示する、請求項２に記載の表示装置。
【請求項４】
前記系統画面を複数表示する場合に、前記表示制御部は、前記給電中の電線と前記非給電の電線との区別を異なる系統画面間で継続する、請求項１に記載の表示装置。
【請求項５】
前記画面作成部は、前記給電中の電線に対応するシンボル同士を接続指定可能である、請求項１に記載の表示装置。
【請求項６】
前記画面作成部は、接続指定されていないシンボルを明示する、請求項１に記載の表示装置。
【請求項７】
複数のシンボルを表示してビル内の配電系統の状態を示す系統画面の設計を支援するコンピュータに適用可能な表示方法であって、
前記コンピュータが、前記系統画面においてユーザに接続指定されたシンボル間の論理的な接続情報を記憶することと、
前記コンピュータが、前記接続情報に基づいて、給電中の電線と非給電の電線とを前記系統画面において互いに区別して表示することとを具備する、表示方法。
【請求項８】
複数のシンボルを表示してビル内の配電系統の状態を示す系統画面の設計を支援するコンピュータに適用可能なプログラムであって、
前記系統画面においてユーザに接続指定されたシンボル間の論理的な接続情報を前記コンピュータに記憶させるための命令と、
前記コンピュータに、前記接続情報に基づいて、給電中の電線と非給電の電線とを前記系統画面において互いに区別して表示させるための命令とを含む、プログラム。
【発明の詳細な説明】
【技術分野】
【０００１】
本発明の実施形態は、ビルなどの大規模な建物の監視に係わる表示装置、表示方法およびプログラムに関する。
【背景技術】
【０００２】
近年、ビルなどの大規模な建物を集中的に監視・制御するシステムの発展が著しい。この種のシステムに設けられる監視装置は、多種多様な機能を備える。例えば監視装置は、共有インフラである電力、水道、ガス等のビル内での使用状況や、テナントが持つ各種機器の稼動状況などを監視する。また監視装置は、各テナントの空調や照明機器を集約的に制御する機能も備える。ビル管理に係わる各種の情報は監視装置において集約／処理され、表示装置により例えば大型のモニタスクリーンに表示される。
【先行技術文献】
【非特許文献】
【０００３】
【非特許文献１】朝妻  智裕、内田  雅彰  著、「多様な施設の運用管理を最適にサポートする統合型中央監視システム」、東芝レビュー  Ｖｏｌ．６４  Ｎｏ．９（２００９）、ｐ６６〜６９
【発明の概要】
【発明が解決しようとする課題】
【０００４】
システムに備わる機能の一つに、活線表示機能がある。活線表示機能は、電力系統の状態を表示する画面（電力系統画面）において、電線を表すシンボル（アイコン）を、そのアイコンに対応する電線の給電状態（活線状態、オン／オフ状態）に応じて色替え表示する機能である。給電中の電線は感電のおそれがあるので、給電中の電線と非給電の電線とを区別可能とする活線表示機能は、重要である。
【０００５】
ところで、この機能を実現するためには受電点からの給電状態（活線状態、オン／オフ状態）を１本１本の電線ごとに管理する必要がある。そのため従来では監視装置の配下のコントローラが受電点や各種遮断機からオン／オフ情報（実情報）を都度、取得し、個々の電線の活線状態（仮想のオン／オフ情報）を論理演算して、その結果を表示装置に通知するようにしていた。しかしながら「電線の一本一本について論理演算を組み（コントローラ側）、その情報を系統画面に配置する（表示装置側）」という設計作業が煩雑で、時間もかかるという不具合があった。  
電線の本数に応じて、管理すべき情報量も膨大である。電線アイコンごとにオン／オフをリアルタイムで管理するためには非常に煩雑な作業を強いられる。さらには、電力系統設備が更新されると、設計の更新作業にも時間がかかっていた。
【０００６】
目的は、煩雑な処理を要さずに活線表示機能を提供することの可能な表示装置、表示方法およびプログラムを提供することにある。
【課題を解決するための手段】
【０００７】
実施形態によれば、表示装置は、画面作成部と、記憶部と、表示制御部とを具備する。画面作成部は、複数のシンボルを表示してビル内の配電系統の状態を示す系統画面の設計を支援する。記憶部は、画面作成部において接続指定されたシンボル間の論理的な接続情報を記憶する。表示制御部は、接続情報に基づいて、給電中の電線と非給電の電線とを系統画面において互いに区別して表示する。
【図面の簡単な説明】
【０００８】
【図１】図１は、実施形態に係わる監視システムの一例を示すシステム図である。
【図２】図２は、モニタスクリーン３００に表示される系統画面の一例を示す図である。
【図３】図３は、表示装置２００の一例を示す機能ブロック図である。
【図４】図４は、画面作成ツール２０３ａにおける処理と系統画面の変化の一例を示す図である。
【図５】図５は、複数の系統画面の一例を示す図である。
【図６】図６は、系統画面の表示態様の一例を示す図である。
【図７】図７は、ＧＵＩ上における画面設計手順の一例を示す図である。
【図８】図８は、未接続の活線の一例を示す図である。
【図９】図９は、ＧＵＩ上における画面設計手順の他の例を示す図である。
【発明を実施するための形態】
【０００９】
図１は、実施形態に係わる監視システムの一例を示すシステム図である。この監視システムは、例えばインテリジェントビルを統合的に監視・制御するためのシステムとして応用される。図１において、サーバ３、コントローラ２１〜２ｍ、監視装置１１〜１ｎ、および表示装置２００が、ビル内のＬＡＮ（Local Area Network）１００に接続される。ＬＡＮ１００の上位層にＢＡＣｎｅｔ（登録商標）を形成することで、監視システム内に異ベンダシステムが混在することも可能になる。
【００１０】
サーバ３は、システム内の履歴データ、あるいはトレンドデータのファイリング機能を有する。コントローラ２１〜２ｍには、それぞれ通信回線を介してノードが接続される。ノードは、例えばフロアごとの空調機器、照明機器、動力機器などである。コントローラ２１〜２ｍはそれぞれ配下のノードを被監視装置として認識し、その状態をモニタする。
【００１１】
監視装置１１〜１ｎはコントローラ２１〜２ｍから通知されるモニタ結果を受け、監視システムを上位レベルで監視制御したり、オペレータに各種の情報を提供したりする。
【００１２】
表示装置２００は、ユーザとのヒューマンマシンインタフェースとしての機能を担う。例えば、表示装置２００は、管理対象設備の状態をモニタスクリーン３００に表示する機能、警報を通知する機能、あるいは各種の設定をシステムに入力するための機能を備える。
【００１３】
図２は、モニタスクリーン３００に表示される系統画面の一例を示す図である。図中に描画される線は、管理対象のビル内の電線の配線状態を示すアイコンであり、その活線状態に応じて色分け表示される。このほか、トランス、アース、および遮断機などを示す各種アイコンが描画される。
【００１４】
図３は、図１に示される表示装置２００の一例を示す機能ブロック図である。表示装置２００は、モニタスクリーン３００に接続されるとともに、インタフェース部２０１、入出力部２０２、主制御部２０３、および、記憶部２０４を備える。このうちインタフェース部２０１はＬＡＮ１００との通信に係わるインタフェース処理を担う。  
入出力部２０２はＧＵＩ（Graphical User Interface）環境を構築し、ユーザインタフェースを提供する。記憶部２０４はハードディスクドライブなどのストレージデバイスであり、接続情報２０４ａおよび状態情報２０４ｂを記憶する。接続情報２０４ａおよび状態情報２０４ｂは、例えばデータファイルなどの形式で保存されても良い。
【００１５】
主制御部２０３は、メモリおよびプロセッサを備える処理デバイスであり、代表的にはＣＰＵ（Central Processing Unit）である。主制御部２０３は、実施形態に係る処理機能として画面作成ツール２０３ａ、表示制御部２０３ｂ、および取得部２０３ｃを備える。
【００１６】
画面作成ツール２０３ａは、例えば記憶部２０４に記憶されたプログラムを主制御部２０３が解釈し実行することで実現される処理機能である。画面作成ツール２０３ａは、図２に示されるような系統画面の作成をアシストする。すなわち画面作成ツール２０３ａは、モニタスクリーン３００に複数のアイコン（シンボル）を表示して、ビル内の配電系統の状態を示す系統画面の設計を支援する。ユーザはアイコンをクリック／ドラッグするなどの操作により系統画面を設計することができる。画面作成ツール２０３ａ上でユーザに接続指定されたシンボル間の論理的な接続情報は、接続情報２０４ａとして記憶部２０４に記憶される。
【００１７】
表示制御部２０３ｂは、例えば記憶部２０４に記憶されたプログラムを主制御部２０３が解釈し実行することで実現される処理機能である。表示制御部２０３ｂは、モニタスクリーン３００に表示される電線のアイコンを、活線とそうでない線（つまり給電中の電線と非給電の電線）とで区別して表示する。すなわち表示制御部２０３ｂは、活線表示機能を実現する。その際、表示制御部２０３ｂは、接続情報２０４ａを参照することにより、受電点から各線に至るまでのオン／オフ状態を認識する。
【００１８】
取得部２０３ｃは、例えば記憶部２０４に記憶されたプログラムを主制御部２０３が解釈し実行することで実現される処理機能である。取得部２０３ｃは、系統画面に表示される各シンボルに対応する実体（つまり電線、遮断機、トランスなどの実物そのもの）の状態を示す状態情報を、例えばコントローラ２１〜２ｍから取得する。取得された状態情報は、状態情報２０４ｂとして記憶部２０４に記憶される。
【００１９】
特に、表示制御部２０３ｂは、状態情報２０４ｂと接続情報２０４ａとの論理的帰結に基づいて受電点から各線に至るまでのオン／オフ状態を認識し、その結果をもとに活線表示機能を実現する。次に、上記構成の表示装置２００における作用について説明する。
【００２０】
図４は、画面作成ツール２０３ａにおける処理と系統画面の変化の一例を示す図である。画面作成ツール２０３ａによる系統画面の設計時に、設計者は、ＧＵＩ上で受電点（開始点）を選択指定し、受電点から各種遮断機を線で接続する配置設計を行う。そうすると、線上の受電点や遮断機、電線の論理的な接続情報（接続情報２０４ａ）が記憶部２０４に保存される。表示制御部２０３ｂは、この接続情報２０４ａを参照して受電点からの活線状態を論理演算し、活線状態を系統画面に表示する。
【００２１】
また、コントローラ２１〜２ｍから取得されるデータに基づいて状態情報２０４ｂが定期的、あるいは不定期に更新される。例えば図４（ａ）における受電点アイコン（△）がオフからオンに変化したとすると、系統画面は図４（ｂ）に示される態様に更新される。一点鎖線で示された非活線が、点線の活線として更新表示される。さらに、遮断機アイコン（□）がオフからオンになると、図４（ｃ）のように、既にオンであった遮断機も含めて活線表示される（点線および右上がりハッチング）。
【００２２】
このようにすることで、コントローラ２１〜２ｍ側での論理演算の設計が不要となり、設計作業を大幅に短縮することができる。また、電力系統設備に変更があった場合の設計変更作業も容易になる。
【００２３】
図５は、複数の系統画面の一例を示す図である。図２の系統画面の一部を部分的に切り出し、図５に示されるように背面と全面とに順に並べて表示することができる。その際、表示制御部２０３ｂは、活線と非活線との区別を、異なる系統画面においても継続する。つまり、図５（ａ）における（１）は非活線であり、（２）が活線である。
【００２４】
そして図５（ｂ）の（１）は図５（ａ）の（１）の延長であり、図５（ｂ）の（２）は図５（ａ）の（２）の延長であるとする。そうすると表示制御部２０３ｂは、図５（ｂ）においても図５（ａ）の活線状態を継続／連携する。
【００２５】
すなわち表示制御部２０３ｂは、異なる画面に表示される線アイコンの対応関係を接続情報２０４ａに基づいて把握し、別画面上でのアイコンの対応関係を保持する。このように受電点（開始点）を含まない小画面においても、一方の画面の活線状態を起点として、他方の画面の活線を表示可能とする。
【００２６】
この表示を実現するため表示制御部２０３ｂは、現在直接画面上に表示してないものも含め、活線に繋がる全ての受電点や各種遮断機の実情報を、接続情報２０４ａまたは状態情報２０４ｂのかたちで記憶部２０４に保持する。さらに、コントローラ２１〜２ｍから受電点や各種遮断機の実情報のオン／オフ変化通知を受けると、表示制御部２０３ｂ受電点からの全ての活線の論理演算を実施し、活線状態を更新する。
【００２７】
図６は、系統画面の表示態様の一例を示す図である。図６（ａ）に示される状態から、例えばコントローラの不具合などでノードの状態情報（遮断機のオン／オフ状態など）を取得できない場合、表示制御部２０３ｂは、当該遮断機の下流側の給電線の状態を不定と認識する。そして表示制御部２０３ｂは、状態情報が不定の電線を他と区別して表示する。図６においては不定状態の電線を実線で示す。なお、他の経路からの論理演算により活線状態を確定することができれば、活線／非活線表示する。
【００２８】
図７は、ＧＵＩ上における画面設計手順の一例を示す図である。画面作成ツール２０３ａでの画面設計の際に活線を配置するにあたり、既に配置されている活線にカーソルを合わせると、活線やシンボルに選択マーク（例えば黄色の小四角）が表示され、作成する活線の接続先が一目で分かる（図７（ａ）の（２）、または図７（ｂ）の（１））。クリックした状態で既に配置されている活線やシンボルにカーソルを合わせると、活線やシンボルに黄色の小四角が表示され、作成する活線の接続先が分かる。シンボルの接続点は別の色（例えば赤）の小四角とする。このように表示制御部２０３ｂは、実シンボル間だけでなく、活線とも接続可能とする。
【００２９】
図８は、未接続の活線の一例を示す図である。画面作成ツール２０３ａは、接続情報２０４ａに基づいて、活線の未接続箇所、および活線の接続先を確認し、画面の表示態様に反映させる。例えば図８（ａ）のように未接続の活線が生じると、画面作成ツール２０３ａは、図８（ｂ）のように、活線の未接続箇所を例えば（▲）アイコンで明示する。これにより設計ミスを確認できるとともに、指定された活線、または実シンボルに接続されている要素を確認することができる。
【００３０】
図９は、ＧＵＩ上における画面設計手順の他の例を示す図である。画面作成ツール２０３ａは、表示装置２００の稼働中であっても系統画面の設計変更を可能とする。これにより変更リードタイムを削減することができる。画面作成ツール２０３ａは、図９（ａ）に示されるように系統画面を変更したのち画面データをファイル保存する。そうすると、表示制御部２０３ｂは、ファイル保存の変化を受けて画面データを再読込し、メモリ上の活線接続情報を更新する（図９（ｂ））。このようにすることで表示装置２００の稼動中でも表示に反映させることができる。
【００３１】
これらのことから、煩雑な処理を要さずに活線表示機能を提供することの可能な表示装置、表示方法およびプログラムを提供することが可能となる。
【００３２】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３３】
３…サーバ、１１〜１ｎ…監視装置、２１〜２ｍ…コントローラ、２００…表示装置、２０１…インタフェース部、２０２…入出力部、２０３…主制御部、２０３ａ…画面作成ツール、２０３ｂ…表示制御部、２０３ｃ…取得部、２０４…記憶部、２０４ａ…接続情報、２０４ｂ…状態情報、３００…モニタスクリーン。
【図１】
2018098972.tif 000003
【図２】
2018098972.tif 000004
【図３】
2018098972.tif 000005
【図４】
2018098972.tif 000006
【図５】
2018098972.tif 000007
【図６】
2018098972.tif 000008
【図７】
2018098972.tif 000009
【図８】
2018098972.tif 000010
【図９】
2018098972.tif 000011